(57)【要約】【課題】  台風や水害などで冠水しても短時間で排水する布基礎部分のロックウール又はグラスウールを使った基礎断熱排水構造を提供する。【解決手段】  冠水した布基礎部に当接させたロックウール又はグラスウールの下端部からフーチングの下にある砕石側まで連続した不織布などの排水用シートを敷き、布基礎部のロックウール又はグラスウールに染みこんだ水を毛管現象によってフーチングの下にある砕石側へ逃がすことにより、短時間で排水することが出来る。基礎にフーチングが無い場合でも、前記ロックウールやグラスウールの下に土を盛ることにより同様の効果が得られる。【選択図】  図１
2007198052.tif 000002
【特許請求の範囲】
【請求項１】
建築物の基礎断熱排水構造において、断熱材に使うロックウール又はグラスウールにこれらロックウール又はグラスウールよりもウィッキング力の強い排水シートを前記ロックウール又はグラスウール下端部に当接させて前記ロックウール又はグラスウールの吸水した水を前記ロックウール又はグラスウールの繊維方向に排水することを特徴とする基礎断熱排水構造。
【請求項２】
請求項１に記載の基礎断熱排水構造において、前記排水シートに有機繊維の布または不織布を使用したことを特徴とする基礎断熱排水構造。
【発明の詳細な説明】
【技術分野】
【０００１】
本発明は、建築物において、基礎断熱の施工後に台風や水害で冠水した断熱材の脱水方法に関する。
【背景技術】
【０００２】
近年、１００年住める住宅などというキャッチフレーズで長持ちする木造住宅が好まれているが、木造住宅で耐久性を考えた場合、構造体である柱や土台を劣化させないことが重要である。基礎断熱の施工後において台風や水害で冠水した際には断熱材まで浸ってしまうので、脱水が遅くなると、劣化するのみだけでなく、断熱性能が損なわれる可能性がある。
【０００３】
従来の基礎断熱構造は、図５に示すように、布基礎部２の梁部分（縦）の片面あるいは両面に当接させていて、ファスナー４で布基礎２に固定されている。断熱材３の下端は直接フーチング部２ａに接触しているか、砕石または土を挟む構造になっている。基礎断熱の施工後、通常の雨水では断熱材３の持つ撥水性で水が染みこむことは無いが、台風や水害などの場合は、前記断熱材３の施工部分まで冠水する恐れがある。
【０００４】
上記の実施例として、建物外周の布基礎に、１階部の床下空間を保温する断熱材を設けた寒冷地用の低層建物において、外気を前記床下空間に導入する給気経路を設け、基礎断熱材部分を含めた床下空間全体を換気する技術が知られている。（特許文献１）
【０００５】
また、建設物の基礎内の地中への埋設部分に、基礎の凍上を防止するために、基礎から略水平方向に外方へ伸びる水平断熱材を設けた建築物の基礎構造において、水平断熱材の上面または下面の少なくとも一方にフィルム、シートあるいはラスからなる補強層を一体的に形成する技術が知られている。（特許文献２）
【特許文献１】特開平１０−３２５５７８号公報
【特許文献２】特開平１１−３６３２０号公報
【発明の開示】
【発明が解決しようとする課題】
【０００６】
特許文献１においては、水平断熱材の内側端は鉛直断熱材の外側面に略隙間なく当接され、その外側端はフーチング部よりも外側へ延設されているが、前記鉛直断熱材と前記水平断熱材の当接部分は嵌合により結合しても良いと記載されているが、嵌合部において鉛直断熱材の下端から水平断熱材の嵌合部への導水方法については何ら記載が無く、台風や水害時における鉛直断熱材の冠水対策については何ら開示も示唆も無い。
【０００７】
また、特許文献２においては、基礎断熱された床下空間の温かい空気を利用して流入外気を温めていて、この温かい空気は布基礎を介して断熱材にも伝わるが、前記断熱材について台風や水害時における鉛直断熱材の冠水対策については何ら開示も示唆も無い。
【０００８】
本発明は、上記問題点に鑑みてなされ、台風や水害時における鉛直断熱材の冠水で断熱材が吸水しても短時間で排水する方法を提供することである。
【課題を解決するための手段】
【０００９】
上記の課題を解決すべく、本発明においては、建築物の基礎断熱排水構造において、断熱材に使うロックウール又はグラスウールにこれらロックウール又はグラスウールよりもウィッキング力の強い排水シートを前記ロックウール又はグラスウール下端部に当接させて吸水した水を前記ガラス断熱材の繊維方向に排水するようにした。
【００１０】
また、前記排水シートに有機繊維の布または不織布を使用するようにした。上記により、木造住宅が台風や水害などでフーチング部に付設したロックウール又はグラスウールが冠水しても短時間で排水できるようになる。
【発明の効果】
【００１１】
本発明の基礎断熱排水構造は、乾式工法と湿式工法のどちらでも施工が可能であり、また基礎にフーチングが無い場合でも砕石や土などをロックウール又はグラスウールの下に盛ることで対応が出来るので広く一般の木造住宅の冠水対策として利用が可能である。
【発明を実施するための最良の形態】
【００１２】
以下に、本願発明の実施例について図に基づいて説明する。図１はフーチングのある布基礎２に排水用シート５を施工した例、図２は、従来施工とポリプロピレン不織布を断熱材３の下に敷いた場合の施工とについての排水性比較、図３は、フーチングの無い布基礎２に排水用シート５を施工した例、図４は、フーチング２ａの下に捨てコンクリート７がある布基礎２に排水用シート５を施工した例である。
【００１３】
図１において、布基礎２の上には土台１が置かれ、外側にはロックウールやグラスウールから成る断熱材３が固定ファスナー４にて布基礎２に固定されている。排水用シート５は、前記断熱材３の下端部からフーチング２ａのデッキ部からフーチング２ａの下にまで延長されている。基礎断熱の施工後において、通常の雨水では断熱ボードの持つ撥水性で水が断熱材３に染みこむことは無いが、台風や水害で冠水になると、断熱材３であっても冠水して水が侵入する可能性がある。大水が引いた後でも、排水シート５が無い場合には、前記断熱材３には水が残り、特に断熱材３下部ではガラス繊維の毛管現象により、染みこんだ水が長時間抜け切らない。
【００１４】
本発明においては、排水シート５の形状は、断熱材下端部から暫く水平を保ち、そこから垂直に下げてフーチングの下にしばらく垂直下降させ、更に水平方向に曲げる構成とした。
【００１５】
従って、本発明のような構成で排水シート５が施工された場合には、排水シート５の毛管現象と排水シートをフーチングの下にまで延長して垂れ下げた構造から水が重力により下部に誘導されるので断熱材３からの排水時間は短縮される。
【００１６】
図２は、従来施工とポリプロピレン不織布（Ｔｙｐａｒ  ＳＦ  ３７）を断熱材３の下に敷いた場合の施工とについて排水性の比較を行ったものである。試験用断熱材サンプル（２００ｍｍ  ｘ  ２００  ｍｍ  ｘ  ５０ｍｍ）を垂直に浸水させて２４時間経過してから引き上げた後、図１の排水シート５を先に配置し、その上に前記試験用サンプルを断熱材３の位置に置いて、所定時間経過後に前記試験用サンプルの重量を量ることにより排水の状態を確認した。この際、下地が吸水しないように試験用サンプルが接する箇所はポリエチレンシートを貼り、排水シート５にはポリプロピレン不織布（Ｔｙｐａｒ  ＳＦ  ３７）を用いた。
【００１７】
同図において、従来構成とポリプロピレン不織布を用いた構成とでは、水から引き上げて２４時間を経過した時点から差が現れ、４８時間を経過するとポリプロピレン不織布を用いた構成ではほとんど排水されているのに対して、従来構成では９６時間経過してもポリプロピレン不織布を用いた構成の２４時間レベルにしか達していないことが分かる。
【００１８】
図３は、布基礎２にフーチングが無い場合の施工例である。図１のフーチングに相当する部分に土を盛り、排水シートの配置形状を図１と同じように、断熱材下端部から暫く水平を保ち、そこから垂直に下げて下にしばらく垂直下降させ、更に水平方向に曲げる構成とした。
【００１９】
図４は、フーチング２ａの下に捨てコンクリート７が存在する場合の施工例である。この場合は、排水シート５の下端部を捨てコンクリート７の底面と同じあるいは底面よりも低い位置まで掘り起こすことにより、排水が捨てコンクリート７部分に滞留することが防げるのでより排水効率が高くなる。
【産業上の利用可能性】
【００２０】
建物が台風や大水で冠水しても、布基礎部に当接させたロックウール又はグラスウールの下端部からフーチングの下にある砕石側まで連続した不織布などの排水用シートを敷き、布基礎部のロックウール又はグラスウールに染みこんだ水を毛管現象によってフーチングの下にある砕石側へ逃がすことにより、短時間で排水が可能となり、従来工法に較べて木材を使った建物の寿命が延びるので、地球規模での森林保護の一助となり、長期的な視点から環境保護支援が可能となる。
【図面の簡単な説明】
【００２１】
【図１】排水シートをフーチング下部まで敷設した図
【図２】排水性比較のグラフ
【図３】布基礎部にフーチングが無い場合に盛り土を施工してから排水シートを敷設した図
【図４】フーチングの下部に捨てコンクリートがある場合の敷設図
【図５】布基礎の従来施工例
【符号の説明】
【００２２】
１…土台、２…布基礎、２ａ…フーチング、３…断熱材、４…固定ファスナー、５…排水用シート、６…砕石、６ａ…盛り土、７…捨てコンクリート。
【図１】
2007198052.tif 000003
【図２】
2007198052.tif 000004
【図３】
2007198052.tif 000005
【図４】
2007198052.tif 000006
【図５】
2007198052.tif 000007